(57)【要約】【課題】体型が異なる使用者でも使用できる上、速やかに組立又は分解することができるトレーニングベルトを提供する。【解決手段】トレーニングベルトは、弧形状を呈する複数の基本部材１及びおもり部３を備える。基本部材１は、互いに接続されて組み合わされて環状レール本体Ａに形成される。基本部材１の数は環状レール本体Ａの内径を決める。各基本部材１は、底壁及び両側壁をそれぞれ有する。両側壁は、底壁に可撓性を有するように設けられる。両側壁間には、チャネル１３が画成され、各基本部材１のチャネル１３が接続されて環状レール本体Ａの周方向に沿って延びたレールＡ１が形成される。おもり部３は、レールＡ１に摺動可能に配設されるとともに、バランスウェイト３２に接続されたスライドベース３１を含む。【選択図】図１
0003223348.tif 000002
【実用新案登録請求の範囲】
【請求項１】
弧形状を呈する複数の基本部材及びおもり部を備えた、トレーニングベルトであって、
前記基本部材は、互いに接続されて組み合わされて環状レール本体に形成され、前記基本部材の数は前記環状レール本体の内径を決め、各前記基本部材は、底壁及び両側壁をそれぞれ有し、前記両側壁は、前記底壁に可撓性を有するように設けられ、前記両側壁間には、チャネルが画成され、各前記基本部材の前記チャネルが接続されて前記環状レール本体の周方向に沿って延びたレールが形成され、各前記基本部材は、前記両側壁上の一端に設けられた１対の枢軸と、前記両側壁の他端に形成された１対の枢着孔と、を有し、各前記基本部材の前記枢軸は、隣り合う前記基本部材の前記枢着孔に枢設され、各前記基本部材の前記両側壁の前記枢着孔の近くの箇所には、ガイド傾斜が設けられ、前記両側壁の前記枢着孔の上方には、ストッパ部がそれぞれ設けられ、
複数の前記基本部材のうちの１つは、コネクターとして用いられ、前記コネクターには、各前記枢着孔に対応する案内溝が形成され、隣り合う前記基本部材の前記枢軸が前記案内溝に挿入されて前記コネクターに滑り込み、前記コネクターには、各前記枢着孔に対応して係止部材が枢着され、各前記係止部材は、枢着回転されて前記案内溝に入り込み、隣り合う前記基本部材の前記枢軸を係止し、
前記おもり部は、前記レールに摺動可能に配設されるとともに、バランスウェイトに接続されたスライドベースを含むことを特徴とするトレーニングベルト。
【請求項２】
前記スライドベースには、磁石が配設され、
前記環状レール本体は、ホールセンサ又はリードセンサにより構成されたカウンターを有し、前記カウンターは、前記スライドベースが通過する回数を計測することを特徴とする請求項１に記載のトレーニングベルト。
【考案の詳細な説明】
【技術分野】
【０００１】
本考案は、トレーニング装置に関し、特に、腰部に用いるトレーニング装置に関する。
【背景技術】
【０００２】
従来、多くの人がフラフープを腰で回して腰部のトレーニングを行っていたが、フラフープの内径が使用者の腰周りよりかなり大きかったことから、フラフープをコントロールすることは容易でなかった。そのため、経験の浅い者にとっては、フラフープを腰部の位置に保持することは難しく、フラフープが腰部から落下すると運動し続けることができない上、フラフープを拾う姿勢が適切で無い場合、腰部を傷めてしまうこともあった。
【０００３】
そのため、上述したような問題点を改善するために特許文献１が提出されている。この特許文献１は、環状レールを有し、この環状レールにおもり部材が摺動可能に連結され、使用者は、腰部を取り囲むようにレールを固定し、腰部を左右前後に振るとおもり部がレール中でスライド移動し、腰部のトレーニングを行うことができた。しかし、レールの内径が固定されて調整できない構造であったため、体型が異なる使用者は使用することが困難であった。そのため、レールの内輪に弾性ベルトを設け、使用者の腰部に締め付けるものがあったが、このような弾性ベルトは、固定効果があまり好ましくなかったため、腰部を前後左右に振ると、腰部からレールが外れて落下してしまうことがあった。
【０００４】
特許文献２の腰部トレーニング装置は、環状レールを有する。この環状レールは、調整部を有し、調整部の全長を変えてレールの内径を調整することにより、体型が異なる使用者でも使用することができる。しかし、調整部により調整できる長さの変化量が十分でなかったため、全ての使用者のニーズを満たすことはできなかった。
【先行技術文献】
【特許文献】
【０００５】
【特許文献１】ＰＣＴ出願公開第ＷＯ／１９９４／０１２２４２号
【特許文献２】台湾実用新案公告第Ｍ４５８９９２号公報
【考案の概要】
【考案が解決しようとする課題】
【０００６】
本考案の主な目的は、複数の基本部材を接続して構成し、接続した基本部材の数を変えてその全長を調整することができるため、体型が異なる使用者でも使用できるトレーニングベルトを提供することである。
本考案のもう一つの目的は、各基本部材が簡素な組立構造を有するため、速やかに組立又は分解することができるトレーニングベルトを提供することである。
【課題を解決するための手段】
【０００７】
上記課題を解決するために、本考案の第１の形態によれば、弧形状を呈する複数の基本部材及びおもり部を備えた、トレーニングベルトであって、前記基本部材は、互いに接続されて組み合わされて環状レール本体に形成され、前記基本部材の数は前記環状レール本体の内径を決め、各前記基本部材は、底壁及び両側壁をそれぞれ有し、前記両側壁は、前記底壁に可撓性を有するように設けられ、前記両側壁間には、チャネルが画成され、各前記基本部材の前記チャネルが接続されて前記環状レール本体の周方向に沿って延びたレールが形成され、各前記基本部材は、前記両側壁上の一端に設けられた１対の枢軸と、前記両側壁の他端に形成された１対の枢着孔と、を有し、各前記基本部材の前記枢軸は、隣り合う前記基本部材の前記枢着孔に枢設され、各前記基本部材の前記両側壁の前記枢着孔の近くの箇所には、ガイド傾斜が設けられ、前記両側壁の前記枢着孔の上方には、ストッパ部がそれぞれ設けられ、複数の前記基本部材のうちの１つは、コネクターとして用いられ、前記コネクターには、各前記枢着孔に対応する案内溝が形成され、隣り合う前記基本部材の前記枢軸が前記案内溝に挿入されて前記コネクターに滑り込み、前記コネクターには、各前記枢着孔に対応して係止部材が枢着され、各前記係止部材は、枢着回転されて前記案内溝に入り込み、隣り合う前記基本部材の前記枢軸を係止し、前記おもり部は、前記レールに摺動可能に配設されるとともに、バランスウェイトに接続されたスライドベースを含むことを特徴とするトレーニングベルトが提供される。
【０００８】
前記スライドベースには、磁石が配設され、前記環状レール本体は、ホールセンサ又はリードセンサにより構成されたカウンターを有し、前記カウンターは、前記スライドベースが通過する回数を計測することが好ましい。
【図面の簡単な説明】
【０００９】
【図１】本考案の一実施形態に係るトレーニングベルトを示す斜視図である。
【図２】本考案の一実施形態に係るトレーニングベルトを示す分解斜視図である。
【図３】本考案の一実施形態に係るトレーニングベルトの基本部材を示す斜視図である。
【図４】本考案の一実施形態に係るトレーニングベルトの基本部材を組立てる動作の説明図である。
【図５】本考案の一実施形態に係るトレーニングベルトの基本部材を分解する動作の説明図である。
【図６】本考案の一実施形態に係るトレーニングベルトのコネクターを示す分解斜視図である。
【図７】本考案の一実施形態に係るトレーニングベルトのコネクターと基本部材とが組み合わされた状態の説明図である。
【図８】本考案の一実施形態に係るトレーニングベルトのコネクターと基本部材とが組み合わされた状態の説明図である。
【図９】本考案の一実施形態に係るトレーニングベルトの重り部材を環状レールに組み合わせた状態の説明図である。
【考案を実施するための形態】
【００１０】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１１】
図１及び図２を参照する。図１及び図２に示すように、本考案の一実施形態に係るトレーニングベルトは、少なくとも環状レール本体Ａ及びおもり部３から構成されてなる。環状レール本体Ａは、弧形状を呈する複数の基本部材（ｅｌｅｍｅｎｔａｒｙ  ｍｅｍｂｅｒ）１が互いに接続されて構成される。環状レール本体Ａの内径は、基本部材１を接続する数に依り決められる。詳細には、接続される基本部材１が多くなるに伴い、環状レール本体Ａの全長が長くなり、その内径もそれに応じて大きくなる。使用者の腰回りのサイズに応じて基本部材１を接続する数を調整し、組み合わせる環状レール本体Ａの内径を腰回りに合わせることができるため、使用者の腰部に強く巻き付けられ、全ての使用者が使用できる。
【００１２】
図３を参照する。図３に示すように、上述した基本部材１は、底壁１１及び両側壁１２を有する。両側壁１２は、底壁１１の両側にそれぞれ立設されて略Ｕ字状を呈する。両側壁１２は、可撓性を有し、力が加わると底壁１１に対して僅かに変形する。両側壁１２間には、チャネル１３が画成される。各基本部材１が接続されて環状レール本体Ａが形成されると、各チャネル１３により環状レール本体Ａの周方向に沿って延びたレールＡ１（図１を参照する）が形成される。各基本部材１は、チャネル１３の一端の両側壁１２上に設けられた枢軸１４と、チャネル１３の他端の両側壁１２上に形成された枢着孔１５と、を有する。両側壁１２の枢着孔１５近くの箇所にはガイド傾斜１６が設けられ、両側壁１２の枢着孔１５の上方には、ストッパ部１７がそれぞれ設けられる。
【００１３】
複数の基本部材１，２を順次組み合わせて接続すると、環状レール本体が形成される。詳細には、図４に示すように、まず、複数の基本部材１のうちの１つの枢軸１４Ａを、隣り合う基本部材２の枢着孔２５Ａに斜めに嵌入させ、基本部材１のもう一つの枢軸１４Ｂを、基本部材２のガイド傾斜２６上に当接させる。続いて、枢軸１４Ａを軸として基本部材１を押して回転させ、枢軸１４Ｂを基本部材２のガイド傾斜２６に沿って枢着孔２５Ｂに滑り込ませると、隣り合う２つの基本部材１，２の組立が完了する。上述したような組立方式により、複数の基本部材１，２を順次接続し、前端部と後端部とを接続する方式により環状レール本体を形成することができる。
【００１４】
反対に、図５に示すように基本部材１を基本部材２に対して枢着回転させると分離させることができる。この際、基本部材１の両側壁１２が基本部材２の２つのストッパ部２７により止められるため、力が加わると変形し、基本部材１の２つの枢軸１４が基本部材２の枢着孔２５からイジェクトされると、基本部材２と基本部材１とを分離させることができる。
【００１５】
また、図６に示すように、コネクター４の基本構造は、上述した基本部材と同じであるが、２つの側壁４１上の対応した各枢着孔４２には、案内溝４３がそれぞれ形成され、隣り合う基本部材の枢軸が案内溝４３に挿入されてコネクター４の枢着孔４２に滑り込み、上述したコネクター４には、各枢着孔４２に対応して係止部材が枢着される。係止部材は、第１の係止ブロック４４及び第２の係止ブロック４５を含む。第１の係止ブロック４４は、第１のばね４４１により側壁４１上に枢着され、案内溝４３に枢着回転して入り込ませ、隣り合う基本部材の枢軸を係止する。第２の係止ブロック４５は、第２のばね４５１により側壁４１上に設けられ、第２のばね４５１により第２の係止ブロック４５の位置を制御し、第１の係止ブロック４４を係合する。
【００１６】
複数の基本部材１を数珠繋ぎに接続した後、その前端部及び後端部を上述したコネクターにそれぞれ接続する。図７及び図８に示すように、基本部材１の枢軸１４は、コネクター４の案内溝４３を介してコネクター４の枢着孔４２に滑り込ませる。次に、第１の係止ブロック４４を揺動し、案内溝４３に入り込ませて枢軸１４に掛止すると、基本部材１とコネクター４とを強固に結合させることができる。また、第１の係止ブロック４４を揺動すると、第１の係止ブロック４４は、第２の係止ブロック４５を押し開き、第１の係止ブロック４４が枢軸１４を掛止した後、第２の係止ブロック４５が第２のばね４５１により牽引されて復位すると、第１の係止ブロック４４が係合され、コネクター４と隣り合う基本部材１との接続を強固に維持することができる。
【００１７】
以上、各基本部材により構成された環状レール本体について説明したが、本実施形態では、図１に示すように、各基本部材１に穿孔１８がそれぞれ形成され、弾性ベルト（ｅｌａｓｔｉｃ  ｂｅｌｔ）１９を各基本部材１の穿孔１８に挿通させ、前端部と後端部とを接合する方式により弾性ベルトを形成し、環状レール本体Ａが不用意に落下しないように環状レール本体Ａを使用者の腰部に締め付けることができる。
【００１８】
上述したことから分かるように、環状レール本体ＡのレールＡ１上には、おもり部３が配設される。図２に示すように、おもり部３は、スライドベース３１及びバランスウェイト３２を含む。スライドベース３１は、ローラを有する２つのスライドテーブル３３が枢着されて構成され、互いに枢着回転可能である。バランスウェイト３２は、長さが調整可能な縛り紐３４によりスライドベース３１に接続される。スライドベース３１は、環状レール本体ＡのレールＡ１中に摺動可能に配設される。図９に示すように、環状レール本体Ａが含む基本部材１の数の多さに依り内径を変化させることができる。レールＡ１の曲率は、これに伴って変化する。スライドベース３１の２つのスライドテーブル３３は、枢着回転してレールＡ１の曲率に対応し、スライドベース３１がレールＡ１に接合され、スライドベース３１は、レールＡ１中でスムーズにスライド移動することができる。
【００１９】
また、本実施形態において、スライドベース３１には磁石が配設されてもよい。環状レール本体Ａは、ホールセンサ又はリードセンサにより構成されたカウンター（図示せず）を有する。カウンターは、スライドベース３１が通過する回数を計測する。即ち、使用者が腰部を前後左右に揺らしておもり部３をスライド移動させ、スライドベース３１が環状レール本体Ａ上で回る回数を計測し、情報通信モジュールにより上述したデータを外部へ送信し、使用者に閲覧させるかコンピュータによりデータ処理する。
【符号の説明】
【００２０】
１  基本部材
２  基本部材
３  おもり部
４  コネクター
１１  底壁
１２  両側壁
１３  チャネル
１４  枢軸
１４Ａ  枢軸
１４Ｂ  枢軸
１５  枢着孔
１６  ガイド傾斜
１７  ストッパ部
１８  穿孔
１９  弾性ベルト
２５  枢着孔
２５Ａ  枢着孔
２５Ｂ  枢着孔
２６  ガイド傾斜
２７  ストッパ部
３１  スライドベース
３２  バランスウェイト
３３  スライドテーブル
３４  縛り紐
４１  側壁
４２  枢着孔
４３  案内溝
４４  第１の係止ブロック
４５  第２の係止ブロック
４４１  第１のばね
４５１  第２のばね
Ａ  環状レール本体
Ａ１  レール
【図１】
0003223348.tif 000003
【図２】
0003223348.tif 000004
【図３】
0003223348.tif 000005
【図４】
0003223348.tif 000006
【図５】
0003223348.tif 000007
【図６】
0003223348.tif 000008
【図７】
0003223348.tif 000009
【図８】
0003223348.tif 000010
【図９】
0003223348.tif 000011